(57)【要約】  【課題】  日付情報、入力メモ、位置情報によらず、簡単に複数の画像間の関連付けを行うことができる画像重畳装置を提供すること。  【解決手段】  画像を撮影する撮像部２２と、重畳する画像情報を記憶するイメージテーブル記憶部２３と、撮影した画像情報に重畳する画像情報の表示状態を編集選択するラベル選択部２４、この編集情報をラベル情報として記憶するラベルテーブル記憶部２５と、この記憶したラベル情報に基づいて画像を重畳処理する画像重畳部２７と、を備えることにより、第一の画像と第二の画像とを撮影し、第二の画像上に第一の画像をその場で重畳して画像を関連付けることができ、簡単に画像間の関連付けを行うことができる。【選択図】  図４
2006238026.tif 000002
【特許請求の範囲】
【請求項１】
画像を撮影する撮影手段と、
前記撮影手段によって撮影した画像情報と重畳する画像情報を記憶するイメージテーブル記憶手段と、
前記画像情報に重畳する画像情報の表示状態を編集選択するラベル選択手段と、
前記ラベル選択手段で選択した状態をラベル情報として記憶するラベルテーブル記憶手段と、
前記ラベルテーブル記憶手段に記憶したラベル情報に基づいて画像を重畳処理する画像重畳手段と、
前記画像および重畳画像を表示する表示手段と、
を備えたことを特徴とする画像重畳装置。
【請求項２】
請求項１に記載の画像重畳装置において、
前記ラベル選択手段が、前記画像情報に重畳する画像情報の位置とサイズと透明度を編集選択し、
前記ラベルテーブル記憶手段が、前記重畳する位置とサイズと透明度を記憶することを特徴とする画像重畳装置。
【請求項３】
請求項１または請求項２に記載の画像重畳装置において、
ネットワークを通じて画像を外部機器に転送する画像転送手段を備えたことを特徴とする画像重畳装置。
【請求項４】
請求項３に記載の画像重畳装置において、
前記画像転送手段が、前記ラベルテーブル記憶手段によって記憶したラベル情報を前記イメージテーブル記憶手段によって記憶した画像フォーマット中に書き込んで画像を転送することを特徴とする画像重畳装置。
【請求項５】
画像を撮影する撮影ステップと、
前記撮影ステップで撮影した画像情報と重畳する画像情報を記憶するイメージテーブル記憶ステップと、
前記画像情報に重畳する画像情報の表示状態を編集選択するラベル選択ステップと、
前記ラベル選択ステップで選択した状態をラベル情報として記憶するラベルテーブル記憶ステップと、
前記ラベルテーブル記憶ステップで記憶したラベル情報に基づいて画像を重畳処理する画像重畳ステップと、
前記画像および重畳画像を表示する表示ステップと、
を備えたことを特徴とする画像重畳方法。
【請求項６】
請求項５に記載の画像重畳方法において、
前記ラベル選択ステップが、前記画像情報に重畳する画像情報の位置とサイズと透明度を編集選択し、
前記ラベルテーブル記憶ステップが、前記重畳する位置とサイズと透明度を記憶することを特徴とする画像重畳方法。
【請求項７】
請求項５または請求項６に記載の画像重畳方法において、
ネットワークを通じて画像を外部機器に転送する画像転送ステップを備えたことを特徴とする画像重畳方法。
【請求項８】
請求項７に記載の画像重畳方法において、
前記画像転送ステップが、前記ラベルテーブル記憶ステップで記憶したラベル情報を前記イメージテーブル記憶ステップで記憶した画像フォーマット中に書き込んで画像を転送することを特徴とする画像重畳方法。
【請求項９】
画像を撮影する撮影ステップと、
前記撮影ステップで撮影した画像情報と重畳する画像情報を記憶するイメージテーブル記憶ステップと、
前記画像情報に重畳する画像情報の表示状態を編集選択するラベル選択ステップと、
前記ラベル選択ステップで選択した状態をラベル情報として記憶するラベルテーブル記憶ステップと、
前記ラベルテーブル記憶ステップで記憶したラベル情報に基づいて画像を重畳処理する画像重畳ステップと、
前記画像および重畳画像を表示する表示ステップと、
をコンピュータに実行させるための画像重畳プログラム。
【請求項１０】
画像を撮影する撮影ステップと、
前記撮影ステップで撮影した画像情報と重畳する画像情報を記憶するイメージテーブル記憶ステップと、
前記画像情報に重畳する画像情報の表示状態を編集選択するラベル選択ステップと、
前記ラベル選択ステップで選択した状態をラベル情報として記憶するラベルテーブル記憶ステップと、
前記ラベルテーブル記憶ステップで記憶したラベル情報に基づいて画像を重畳処理する画像重畳ステップと、
前記画像および重畳画像を表示する表示ステップと、
をコンピュータに実行させるための画像重畳プログラムを記録したコンピュータ読み取り可能な記録媒体。
【発明の詳細な説明】
【技術分野】
【０００１】
本発明は、パソコン（ＰＣ）やデジタルカメラやコピー機などの画像を扱う装置におけるユーザインタフェースの操作性改善に関し、詳細には第一の画像と第二の画像とを撮影し、第二の画像上に所定の大きさや位置や透明度で第一の画像を重畳表示することにより画像間の関連を表示する画像重畳装置に関する。
【背景技術】
【０００２】
従来、デジタルカメラやスキャナー、コピー機などの撮像機能の付いた画像記録装置では、画像を撮影した日付などを取り込んだ情報に関連付けておくことで画像を管理することができる。例えば、外部機器から日付、メモなどの付加情報を取り込み、これを撮影した画像に関連付けて記録媒体に記録する画像撮像装置が提案されている（例えば、特許文献１参照）。
【０００３】
また、画像に日付情報を付与して、さらに日付の時間的な差分情報から画像を分類する画像撮影装置が提案されている（例えば、特許文献２参照）。
【０００４】
さらに、ＧＰＳ装置によって即位した緯度、経度などのＧＰＳ情報を撮影した画像とともに記録媒体に記録するカメラも多数開示されている（例えば、特許文献３参照）。
【０００５】
【特許文献１】特開平１０−５６６１０号公報
【特許文献２】特開２００１−２２８５２８号公報
【特許文献３】特開平９−２７５５４２号公報
【発明の開示】
【発明が解決しようとする課題】
【０００６】
しかしながら、このような従来のものでは、日付情報をつけたとしても、多数取り込んだ画像が互いにどのように関連するのかを区別することはできない。例えば、２日間にまたがる会議に参加していて、初日に撮影したものと、２日目に撮影したものに互いに関連があるとしても、上述した発明では、うまく分類できないという問題があった。また、メモなどを取り込んだ画像ごとに付けるとすると、画像撮像装置上で文字などを入力したり選択したりする必要があり、利用者は非常に煩雑な操作を強いられる。
【０００７】
また、位置情報を利用した場合も、同一場所で撮影したものが互いに関連があるとはいえないし、異なる場所で撮影したものにも互いに関連付けを付けたい場合もある。
【０００８】
本発明は、このような従来の問題を解決するためになされたもので、パソコン（ＰＣ）やデジタルカメラ、コピー機などの画像を扱う装置におけるユーザインタフェースの操作性を改善する画像重畳装置を提供するものである。具体的には、第一の画像と第二の画像とを撮影し、第二の画像上に所定の大きさや位置や透明度で第一の画像を重畳表示することにより画像間の関連を表示する画像重畳装置を提供するものである。
【課題を解決するための手段】
【０００９】
本発明の画像重畳装置は、画像を撮影する撮影手段と、前記撮影手段によって撮影した画像情報と重畳する画像情報を記憶するイメージテーブル記憶手段と、前記画像情報に重畳する画像情報の表示状態を編集選択するラベル選択手段と、前記ラベル選択手段で選択した状態をラベル情報として記憶するラベルテーブル記憶手段と、前記ラベルテーブル記憶手段に記憶したラベル情報に基づいて画像を重畳処理する画像重畳手段と、前記画像および重畳画像を表示する表示手段と、を備えたことを特徴とした構成を有している。
【００１０】
この構成により、撮影した画像情報に重畳する画像情報の表示状態を編集し、この編集情報をラベル情報として記憶するとともに、この記憶したラベル情報に基づいて画像を重畳処理するので、第一の画像と第二の画像とを撮影し、第二の画像上に第一の画像をその場で重畳して画像を関連付けることができ、簡単に画像間の関連付けを行うことができる。
【００１１】
また、本発明の画像重畳装置は、前記ラベル選択手段が、前記画像情報に重畳する画像情報の位置とサイズと透明度を編集選択し、前記ラベルテーブル記憶手段が、前記重畳する位置とサイズと透明度を記憶することを特徴とした構成を有している。
【００１２】
この構成により、重畳する画像情報の位置とサイズと透明度を指定することができるので、所定の位置や大きさや透明度で第二の画像上に第一の画像を重畳することができ、利用状況に応じて重畳する画像の状態を変更することができる。
【００１３】
さらに、本発明の画像重畳装置は、ネットワークを通じて画像を外部機器に転送する画像転送手段を備えたことを特徴とした構成を有している。
【００１４】
この構成により、画像を外部機器に転送するので、画像重畳装置上の画像を他の機器に送り、外部機器で利用することができる。
【００１５】
さらに、本発明の画像重畳装置は、前記画像転送手段が、前記ラベルテーブル記憶手段によって記憶したラベル情報を前記イメージテーブル記憶手段によって記憶した画像フォーマット中に書き込んで画像を転送することを特徴とした構成を有している。
【００１６】
この構成により、画像間の関連付け情報も転送することができ、画像を転送した外部機器上でも画像間の関連を管理することができる。
【００１７】
さらに、本発明の画像重畳方法は、画像を撮影する撮影ステップと、前記撮影ステップで撮影した画像情報と重畳する画像情報を記憶するイメージテーブル記憶ステップと、前記画像情報に重畳する画像情報の表示状態を編集選択するラベル選択ステップと、前記ラベル選択ステップで選択した状態をラベル情報として記憶するラベルテーブル記憶ステップと、前記ラベルテーブル記憶ステップで記憶したラベル情報に基づいて画像を重畳処理する画像重畳ステップと、前記画像および重畳画像を表示する表示ステップと、を備えたことを特徴とした構成を有している。
【００１８】
この構成により、撮影した画像情報に重畳する画像情報の表示状態を編集し、この編集情報をラベル情報として記憶するとともに、この記憶したラベル情報に基づいて画像を重畳処理するので、第一の画像と第二の画像とを撮影し、第二の画像上に第一の画像をその場で重畳して画像を関連付けることができ、簡単に画像間の関連付けを行うことができる。
【００１９】
さらに、本発明の画像重畳方法は、前記ラベル選択ステップが、前記画像情報に重畳する画像情報の位置とサイズと透明度を編集選択し、前記ラベルテーブル記憶ステップが、前記重畳する位置とサイズと透明度を記憶することを特徴とした構成を有している。
【００２０】
この構成により、重畳する画像情報の位置とサイズと透明度を指定することができるので、所定の位置や大きさや透明度で第二の画像上に第一の画像を重畳することができ、利用状況に応じて重畳する画像の状態を変更することができる。
【００２１】
さらに、本発明の画像重畳方法は、ネットワークを通じて画像を外部機器に転送する画像転送ステップを備えたことを特徴とした構成を有している。
【００２２】
この構成により、画像を外部機器に転送するので、元の装置上の画像を他の機器に送り、外部機器で利用することができる。
【００２３】
さらに、本発明の画像重畳方法は、前記画像転送ステップが、前記ラベルテーブル記憶ステップで記憶したラベル情報を前記イメージテーブル記憶ステップで記憶した画像フォーマット中に書き込んで画像を転送することを特徴とした構成を有している。
【００２４】
この構成により、画像間の関連付け情報も転送することができ、画像を転送した外部機器上でも画像間の関連を管理することができる。
【００２５】
さらに、本発明の画像重畳プログラムおよび画像重畳プログラムを記録した媒体は、画像を撮影する撮影ステップと、前記撮影ステップで撮影した画像情報と重畳する画像情報を記憶するイメージテーブル記憶ステップと、前記画像情報に重畳する画像情報の表示状態を編集選択するラベル選択ステップと、前記ラベル選択ステップで選択した状態をラベル情報として記憶するラベルテーブル記憶ステップと、前記ラベルテーブル記憶ステップで記憶したラベル情報に基づいて画像を重畳処理する画像重畳ステップと、前記画像および重畳画像を表示する表示ステップと、を備えたことを特徴とした構成を有している。
【００２６】
この構成により、撮影した画像情報に重畳する画像情報の表示状態を編集し、この編集情報をラベル情報として記憶するとともに、この記憶したラベル情報に基づいて画像を重畳処理するので、第一の画像と第二の画像とを撮影し、第二の画像上に第一の画像をその場で重畳して画像を関連付けることができ、簡単に画像間の関連付けを行うことができる。
【発明の効果】
【００２７】
本発明は、第一の画像と第二の画像とを撮影し、第二の画像上に所定の大きさや位置や透明度で第一の画像を重畳表示することにより画像を関連付けて表示でき、簡単な操作で、画像間の関連付けも行うことができる。
【００２８】
また、画像フォーマット中にこのような関連付けの情報を記録することにより、デジタルカメラからパソコンに画像を転送したような場合でも、関連付けた情報を記録しておけるようになる。すなわち、単純に２枚の画像を重畳して新たな画像を生成しても、パソコンなどに画像を転送した場合には、各画像間の関連を記述できないため、取り込んだ後の画像の管理ができず、各画像をばらばらに管理することになってしまうが、本発明は、画像間の関連付けを保つことができる。
【発明を実施するための最良の形態】
【００２９】
以下、本発明の実施の形態の画像重畳装置について、図面を用いて説明する。
【００３０】
図１に示すように、本発明の実施形態の画像重畳装置は、カメラ１０ａや、画像の撮像装置を持つようなコピー機、プリンター１０ｂ、カメラやスキャナーを接続・内蔵するパソコン（コンピュータ）１０ｃに内蔵したり、装着したりして用いる。
【００３１】
さらに、これら装置は画像を撮影する撮像部１２と、撮影のモードや設定を更新したりする入力部１３と、画像や記録した情報を表示する表示部１４とを持つ。
【００３２】
図２と図３に本発明の原理を示す。図１に示したようなカメラやコピー機、プリンター、パソコン上で撮影した画像１と画像２がある場合（図２）、図３に示すように「ラベル」となる画像１を画像２の上に重畳して表示する。このことにより、利用者は画像２が画像１と関連があることを簡単に把握できる。
【００３３】
図４に本発明の画像重畳装置の構成を示す。
【００３４】
本発明の画像重畳装置２０は、画像を撮影する撮影部２２と、撮影した画像を記録するイメージテーブル記憶部２３と、記録した画像毎にラベルとして重畳するための画像を選択するためのラベル選択部２４と、ラベル選択部２４で選択した情報をラベル画像として記録するラベルテーブル記憶部２５と、画像とそれに関連付けられたラベル画像を所定の位置・サイズ・透明度で重畳表示する画像を表示するモードを実行するラベル付画像表示部２６と、そこで表示する画像の状態を合成する画像重畳部２７と、イメージテーブル記憶部２３やラベルテーブル記憶部２５や画像重畳部２７の生成する画像や編集情報を表示するための表示部２８と、撮像部２２とラベル選択部２４とラベル付画像表示部２６の機能の状態を選択して編集するための入力部２９とから構成する。
【００３５】
また、画像をパソコンなどの外部機器にネットワークを通じて転送するための画像転送部３０を備える。
【００３６】
図５では、入力部２９の構成を示す。入力部２９では、撮像部２２とラベル選択部２４とラベル付画像表示部２６の機能の状態を選択して編集する。
【００３７】
入力部２９ａ（図５（ａ））は、「撮影（撮影部２２）」「ラベル選択（ラベル選択部２４）」「ラベル付表示（ラベル付画像表示部２６）」や通常の画像を表示する「表示」、機器の状態の設定を更新する「SETUP」などがあり、円形のつまみを回転することにより、機能を選択する。
【００３８】
入力部２９ｂ（図５（ｂ））では、上下左右の矢印のカーソルボタンを示す。カーソルボタンを押下することにより、表示中の画像を順次めくったり、編集のためのメニューを操作したりする。また、「Menu」のようなボタンもあり、入力部２９で所定のモードを選択しているときにボタンを押下することにより、そのモード下での機能を実行する。
【００３９】
図６では、撮像部２２によって撮影した画像の様子を示す。撮像部２２によって撮影した画像は、順次イメージ番号が割り振られて、イメージテーブル記憶部２３に記憶する。
【００４０】
図７では、イメージテーブル記憶部２３に記憶するイメージテーブルを示す。
【００４１】
イメージテーブル記憶部２３では、撮像部２２で撮影した画像を記録する。記録した画像には順次イメージ番号が振られ、例えば撮影した画像から順番に１，２，３，４のように数字の番号を割り振る。また、それぞれの画像には、ラベル番号が割り振られる。ラベル番号は、ラベルテーブル記憶部２５に記憶したラベル画像に関する番号である。
【００４２】
図８では、ラベルテーブル記憶部２５に記憶するラベルテーブルを示す。
【００４３】
ラベルテーブル記憶部２５では、ラベルとして画像に重畳するための画像を記憶する。ラベルとなる各画像には順次ラベル番号を割り振る。それぞれのラベルとなる画像について、その画像のイメージテーブル記憶部２３でのイメージ番号、重畳する位置（Ｘ，Ｙ）とサイズ（Ｗ，Ｈ）とどのような割合で重畳するのかといった透明度（transparent）を記録する。
【００４４】
図９、図１０では、ラベルテーブルを編集する編集画面を示す。
【００４５】
ここでは、イメージテーブル記憶部２３に記憶した画像のうち、ラベルとして用いる画像をラベルテーブル記憶部２５に追加したり、削除したりする。
【００４６】
上部の「追加」「削除」のうち、図９では、「追加」を選択した場合の画面を示し、図１０では、「削除」を選択した場合の画面を示す。
【００４７】
図１１では、ラベルテーブルを編集して追加する場合の処理のながれを示す。
【００４８】
入力部２９を通じてラベル選択部２４を選択し、図９に示すような画面を表示部２８に表示した状態で「追加」を選択する（Ｓ２１）と、イメージテーブル記憶部２３に記憶されたイメージ番号が表示される（Ｓ２２）。そして、入力部２９のカーソルボタンを利用して、ラベルとして使用するイメージを選択する（Ｓ２３）。次に、重畳するための位置（たて、よこ）と（Ｓ２４）、重畳する際の表示サイズ（たて、よこ）を選択し（Ｓ２５）、さらに透明度（半透明）を選択する（Ｓ２６）。カーソルボタンの左右キーで入力する値の位置を移動し、カーソルボタンの上下で数値を上下する。最後に「決定」を選択する（Ｓ２７）と、選択した状態をラベルテーブル記憶部２５に追加する（Ｓ２８）。
【００４９】
図１２では、ラベルテーブルを編集して削除する場合の処理のながれを示す。
【００５０】
入力部２９を通じてラベル選択部２４を選択し、図９に示すような画面を表示部２８に表示した状態で「削除」を選択する（Ｓ３１）と、図１０のような画面になる（Ｓ３２）。ここでは、ラベルテーブル記憶部２５に記憶しているラベル画像に対応するイメージテーブル記憶部２３のイメージ番号をメニューに表示する。ここで、入力部２９のカーソルボタンを利用して、イメージ番号を選択し（Ｓ３３）、最後に「削除」を選択する（Ｓ３４）と、選択した画像に関するラベルテーブル記憶部２５に記憶している行の情報を削除する（Ｓ３５）。
【００５１】
図１３では、イメージテーブル記憶部２３のラベル番号を編集する様子を示す。
【００５２】
入力部２９を通じて「ラベル付表示」を選択し、さらに図５の「Menu」ボタンを押下した場合に、図１３に示すような画面を表示部２８に表示する。
【００５３】
現在選択中、すなわち表示部２８に表示していた画像について、ラベル付けの有無とラベル番号を選択する。ラベルの選択のメニューから、「なし」を選択して、「決定」ボタンを押下すると、表示していた画像についてラベルを削除する。すなわち、イメージテーブル記憶部２３の所定の画像についてのラベル番号を「０」にする。その他にも、ラベルテーブル記憶部２５に記憶するラベル番号をメニューに表示し、それらのラベル番号を選択して、「決定」を押下すると、表示していた画像について、そのラベル番号のラベルを付与する。
【００５４】
図１４では、画像の重畳処理のながれを示す。
【００５５】
入力部２９を通じてラベル付表示モードに変更する（Ｓ４１）。この状態では、例えば現在撮影した最新の画像を「選択状態」としてイメージテーブル記憶部２３に記憶している画像を参照して表示部２８に表示する（Ｓ４２）。
【００５６】
さらに、イメージテーブル記憶部２３に記憶している、その画像に対応するラベル番号を参照し（Ｓ４３、Ｓ４４）、ラベル番号が０以外の場合（Ｓ４５）に、ラベルテーブル記憶部２５を参照し（Ｓ４６）、そのラベル番号に対応するイメージ番号を取得し（Ｓ４７）、位置（Ｘ，Ｙ）、サイズ（Ｗ，Ｈ）、透明度（transparent）の値を取得する（Ｓ４８）。そして、そのイメージ番号に対応する画像をイメージテーブル記憶部２３から取得し（Ｓ４９）、現在選択状態の画像上に、Ｘ，Ｙの位置、Ｗ，Ｈのサイズでtransparentの透明度で重畳表示する（Ｓ５０）。
【００５７】
図１５では、重畳に際して、ラベル画像となる画像をＷ，Ｈのサイズに変更する様子を示す。縮小処理は、例えばサンプリングによって行う。この方法は値を間引き、例えば次の数値が並んでいて、
0 1 2 3 4 5 6 7 8 9 10 11
これを1/2倍にする場合、
0 2 4 6 8 10
とする。
【００５８】
図１６では、縮小の際の処理のながれを示す。
【００５９】
ラベルとして用いる画像をＰとして、その水平のピクセル位置ｓ、垂直のピクセル位置ｔをＰ（ｓ，ｔ）、Ｐの画像の水平方向の幅をＷｐ、垂直方向の高さをＨｐとあらわすとする。
【００６０】
ＰをＱの画像の大きさに縮小する場合、まず水平、垂直方向の大きさの比率ａ，ｂを、
ａ＝Ｗｐ／Ｗｑ、ｂ＝Ｈｐ／Ｈｑ
として求める（Ｓ６１）。   
次に、一時的に数値を記憶する変数として、ｍ，ｎ，ｉ，ｊを用い、ｍ＝０，ｎ＝０，ｉ＝０，ｊ＝０とする（Ｓ６２、Ｓ６３）。
【００６１】
次に、Ｑ（ｍ，ｎ）に対してＰ（ｉ，ｊ）のピクセルの値を代入する（Ｓ６４）。ピクセルの値とは、例えば色の３要素であるＲ，Ｇ，Ｂそれぞれに８ビットの値が割り振られており、それが３２ビット長のデータに格納されている場合、その３２ビット長のデータをコピーすることで達成する。
【００６２】
次に、ｍに１を加え（Ｓ６５）、ｉにａを加える（Ｓ６６）。そして、ｉがＷｐ以上かどうかを判定して（Ｓ６７）、ＮＯの場合には、再度Ｑ（ｍ，ｎ）にＰ（ｉ，ｊ）の値を代入して（Ｓ６４）、上記処理を繰り返す。ＹＥＳの場合には、ｍ＝０，ｉ＝０とし（Ｓ６８、Ｓ６９）、ｎに１を加えて（Ｓ７０）、ｊにｂを加える（Ｓ７１）。そして、ｊがＨｐ以上かどうかを判定する（Ｓ７２）。この判定でＮＯの場合には、再度Ｑ（ｍ，ｎ）にＰ（ｉ，ｊ）の値を代入して（Ｓ６４）、上記処理を繰り返す。ＹＥＳの場合には、処理を終了する。
【００６３】
図１７では、重畳の際の様子を示す。
【００６４】
画像１を画像２の（５，２）の位置に重畳する場合を考えると、画像１を（５，２）の位置から順次画像２の画像上にピクセルを代入していく。
【００６５】
図１８では、重畳の際の処理のながれを示す。
【００６６】
画像Ｒ上のｘ，ｙという位置に、Ｗｑ，Ｈｑの大きさの画像Ｑを透明度ｄの割合で重畳する場合を考える。ｄでいう割合とは、図９の透明度（transparent）の値を１００で割ったものである。
【００６７】
まず、一時的に数値を記憶する変数として、ｍ，ｎ，ｉ，ｊを用い、ｍ＝０，ｎ＝０とする（Ｓ８１）。次に、ｉにｘを、ｊにｙを代入する（Ｓ８２）。
【００６８】
次に、Ｒ（ｉ，ｊ）の位置にＲ（ｉ，ｊ）のピクセル値をｄ、Ｑ（ｍ，ｎ）のピクセルの値をｃ（＝１−ｄ）の割合で代入する（Ｓ８３）。つまり、ｄの値が大きいほど元々のＲ（ｉ，ｊ）の値が大きく反映され、ｄの値が小さいほどＱ（ｍ，ｎ）の値が反映される。ｄの値が０の場合には、Ｑ（ｍ，ｎ）の値がそのままＲ（ｉ，ｊ）に代入される。
【００６９】
次に、ｍに１を加え（Ｓ８４）、ｍがＷｑ以上かを判定し（Ｓ８５）、ＮＯの場合にはｉに１を加えて（Ｓ８６）、再度Ｒ（ｉ，ｊ）への代入処理を実行して（Ｓ８３）、上記処理を繰り返す。ＹＥＳの場合には、ｍ＝０，ｉ＝ｘ，ｎ＝ｎ＋１として（Ｓ８７、Ｓ８８）、ｎがＨｑ以上かどうかを判定する（Ｓ８９）。この判定により、ＮＯである場合ｊに１を加えて（Ｓ９０）、再度Ｒ（ｉ，ｊ）への代入処理を実行して（Ｓ８３）、上記処理を繰り返す。ＹＥＳの場合には、処理を終了する。
【００７０】
図１９では、実際の重畳の画像の様子を示す。
【００７１】
入力部２９を通じてラベル付表示モードに変更すると、表示部２８には最新に撮影した画像を表示する。その際に、その表示している画像についてラベル画像を付与している場合には、ラベルテーブル記録部２５を参照して、対応するテーブルの行について、その位置とサイズと透明度で画像を重畳表示する。
【００７２】
このように表示することにより、例えば画像「２」と画像「３」が画像「１」に関連していることがわかり、画像「５」が画像「４」と関連していることがわかる。このように撮影した画像をそのまま重畳表示して関連付けすることで、従来、メモや場所といった付加情報を加えて画像を分類する手段を別途用意する必要がなくなる。
【００７３】
図２０は、重畳する画像の位置やサイズについて説明するものである。
【００７４】
重畳する画像は、固定的な位置（例えば右下の位置）に表示しても良いし、図９で示したようなメニュー上で表示する位置やサイズを変更して表示しても良い。また、図９で示したように、数値で表示位置を示しても良いし、単純に「右上」「右下」「左上」「左下」「中央」のようにキーワードで指定しても良い。この場合、画像Ｒの上に画像Ｑを重畳するとき、左上とは（ｘ，ｙ）＝（０，０）、右下とは（ｘ，ｙ）＝（Ｗｒ−Ｗｑ，Ｈｒ−Ｈｑ）の位置のように計算できる。
【００７５】
図２１では、イメージテーブル記憶部２３とラベルテーブル記憶部２５に記憶した情報を画像ファイル内に記録する場合について説明する。
【００７６】
例えば、本発明を図１（ａ）で示したようなカメラとして実現した場合、そこで撮影した画像をパソコンなどに転送して用いることがある。その際には、せっかく本発明で開示したように画像に関連付けをして重畳表示できるようにしても、パソコンに転送した時点で各画像は、単独の画像ファイル（デジタルカメラのEXIF形式など）として記録するため、重畳表示のための情報が失われてしまう。そこで、イメージテーブル記憶部２３とラベルテーブル記憶部２５に記憶した情報を、パソコン転送時にEXIF形式のファイル内に埋め込むようにする。
【００７７】
EXIF規格は、デジタルカメラ用の画像ファイルフォーマットの規格であり、画像フォーマット中にアプリケーション固有の情報を格納できるようになっている。EXIF規格については、当業者であれば自明の規格であるため、ここでは、説明の詳細は割愛するが、図２１に示したようなファイルのヘッダ上のAPP1の部分にアプリケーション固有の情報を格納できる。
【００７８】
図２２では、EXIF規格の画像をパソコンに画像転送した場合の、受信したアプリケーションの画面の様子を示す。
【００７９】
パソコン上では、デジタルカメラなどから転送した画像を所定のフォルダなどで管理している。ここで、各画像中に重畳する画像のインデックス番号を埋め込んでおいて画像を転送する。パソコン側では、例えば「重畳表示」と「通常表示」の２つの表示状態があり、「重畳表示」を選択しておくと、画像ファイル中の重畳するインデックス番号の情報を読み出して、前述したような縮小と重畳のアルゴリズムによって画像上にラベル画像を重畳表示する。
【００８０】
次に、上述した一連の処理を実行するプログラムを、コンピュータにインストールして実行可能な状態とするために用いられる媒体について説明する。
【００８１】
プログラムは、例えば図２３（ａ）に示すように、コンピュータに内蔵されている記録媒体としてのハードディスクに、あらかじめインストールした状態で提供できる。
【００８２】
また、プログラムは、図２３（ｂ）に示すように、記録媒体に一時的あるいは永続的に格納し、コンピュータにユニットとして組み込んだり、あるいは着脱式の記録媒体として利用することで、パッケージソフトウェアとして提供できる。
【００８３】
記録媒体としては、図２３（ｃ）に示すように、例えばフロッピー（登録商標）ディスク、ＣＤ−ＲＯＭ（Compact Disc Read Only Memory）、ＭＯ（Magneto optical）ディスク、ＤＶＤ（Digital Versatile Disc）、磁気ディスク、半導体メモリなどが利用できる。
【００８４】
さらに、プログラムは、図２３（ｄ）に示すように、ダウンロードサイトから、ＬＡＮ（Local Area Network）やインターネットといったネットワークを介して、有線または無線でコンピュータに転送し、そのコンピュータにおいて、内蔵するハードディスクなどにダウンロードさせるようにすることができる。
【産業上の利用可能性】
【００８５】
以上のように、本発明にかかる画像重畳装置は、第一の画像と第二の画像とを撮影し、第二の画像上に所定の大きさや位置や透明度で第一の画像を重畳表示することにより画像を関連付けて表示でき、簡単な操作で、画像間の関連付けも行うことができるとともに、画像フォーマット中に画像関連付けの情報を記録することにより、外部機器に画像を転送したような場合でも、関連付けた情報を記録しておけるという効果を有し、画像間の関連を表示する画像重畳装置等として有用である。
【図面の簡単な説明】
【００８６】
【図１】本発明にかかる画像重畳装置を搭載する機器の一実施の形態を示す斜視図である。
【図２】本発明の基本原理を説明する画像図である。
【図３】本発明の基本原理を説明する画像重畳図である。
【図４】本発明にかかる画像重畳装置の一実施の形態を示すブロック図である。
【図５】一実施の形態の画像重畳装置の入力部を示す構成図である。
【図６】一実施の形態の画像重畳装置の撮像部により撮像した画像図である。
【図７】一実施の形態の画像重畳装置のイメージテーブル記憶部に記憶するイメージテーブルである。
【図８】一実施の形態の画像重畳装置のラベルテーブル記憶部に記憶するラベルテーブルである。
【図９】一実施の形態の画像重畳装置のラベルテーブルを編集する編集画面（追加時）図である。
【図１０】一実施の形態の画像重畳装置のラベルテーブルを編集する編集画面（削除時）図である。
【図１１】一実施の形態の画像重畳装置におけるラベルテーブルへの追加処理動作を示すフローチャートである。
【図１２】一実施の形態の画像重畳装置におけるラベルテーブルからの削除処理動作を示すフローチャートである。
【図１３】一実施の形態の画像重畳装置におけるイメージテーブル記憶部のラベル番号を編集するラベル付け画面図である。
【図１４】一実施の形態の画像重畳装置における画像の重畳処理動作を示すフローチャートである。
【図１５】一実施の形態の画像重畳装置におけるラベル画像の縮小処理を示すイメージ図である。
【図１６】一実施の形態の画像重畳装置におけるラベル画像の縮小処理動作を示すフローチャートである。
【図１７】一実施の形態の画像重畳装置における画像重畳処理を示すイメージ図である。
【図１８】一実施の形態の画像重畳装置における画像重畳処理動作を示すフローチャートである。
【図１９】一実施の形態の画像重畳装置における重畳画像表示図である。
【図２０】一実施の形態の画像重畳装置における重畳する画像の位置およびサイズを説明する重畳画像図である。
【図２１】一実施の形態の画像重畳装置におけるイメージテーブルおよびラベルテーブルに記憶した情報を画像ファイルに記憶した情報記録図である。
【図２２】一実施の形態の画像重畳装置からパソコンで画像を受信し、アプリケーションで表示した画面図である。
【図２３】本発明の画像重畳プログラムの汎用例である。
【符号の説明】
【００８７】
１０ａ  カメラ
１０ｂ  コピー機、プリンター
１０ｃ  コンピュータ
１２ａ、１２ｂ、１２ｃ  撮像部
１３ａ、１３ｂ、１３ｃ  入力部
１４ａ、１４ｂ、１４ｃ  表示部
２０  画像重畳装置
２２  撮影部
２３  イメージテーブル記憶部
２４  ラベル選択部
２５  ラベルテーブル記憶部
２６  ラベル付画像表示部
２７  画像重畳部
２８  表示部
２９  入力部
３０  画像転送部
【図１】
2006238026.tif 000003
【図４】
2006238026.tif 000004
【図５】
2006238026.tif 000005
【図７】
2006238026.tif 000006
【図８】
2006238026.tif 000007
【図１１】
2006238026.tif 000008
【図１２】
2006238026.tif 000009
【図１４】
2006238026.tif 000010
【図１５】
2006238026.tif 000011
【図１６】
2006238026.tif 000012
【図１７】
2006238026.tif 000013
【図１８】
2006238026.tif 000014
【図２１】
2006238026.tif 000015
【図２３】
2006238026.tif 000016
【図２】
2006238026.tif 000017
【図３】
2006238026.tif 000018
【図６】
2006238026.tif 000019
【図９】
2006238026.tif 000020
【図１０】
2006238026.tif 000021
【図１３】
2006238026.tif 000022
【図１９】
2006238026.tif 000023
【図２０】
2006238026.tif 000024
【図２２】
2006238026.tif 000025